【手続補正書】
【提出日】平成17年4月6日(2005.4.6)
【手続補正１】
【補正対象書類名】明細書
【補正対象項目名】全文
【補正方法】変更
【補正の内容】
【書類名】            明細書
【発明の名称】  情報提供システム
【特許請求の範囲】
【請求項１】  遊技台に付設された情報端末と、所定個所に設けられた情報キオスク端末と、会員番号が記憶された会員ＩＤカードとを用いてメッセージの送受信を行う情報提供システムであって、
各情報端末及び情報キオスク端末はネットワークに接続されており、
情報キオスク端末から、会員ＩＤカードに記憶された会員番号で特定される遊技者宛にメッセージが入力されると、前記会員番号と一致する会員番号が記憶された会員ＩＤカードが挿入されている情報端末に前記メッセージを送信可能である、
ことを特徴とする情報提供システム。
【請求項２】  請求項１に記載の情報提供システムであって、
情報キオスク端末から、会員ＩＤカードに記憶された会員番号で特定される遊技者宛にメッセージが入力された後、前記会員番号と一致する会員番号が記憶された会員ＩＤカードが挿入されている情報端末は、メッセージがあるという告知またはメッセージの表示をすることが可能である、
ことを特徴とする情報提供システム。
【請求項３】  請求項１または２に記載の情報提供システムであって、
情報キオスク端末から入力されて情報端末に表示されるメッセージは、当該メッセージが入力された時刻とともに表示される、
ことを特徴とする情報提供システム。
【請求項４】  請求項１〜３のいずれかに記載の情報提供システムであって、
情報キオスク端末から、会員ＩＤカードに記憶された会員番号で特定される遊技者宛にメッセージが入力された後、当該情報キオスク端末に前記会員番号と一致する会員番号が記憶された会員ＩＤカードが挿入されると、前記入力されたメッセージを表示することが可能である、
ことを特徴とする情報提供システム。
【発明の詳細な説明】
【０００１】
【発明の属する技術分野】
本発明は、パチンコ店における情報提供システムに関し、特にパチンコ店の客同士で情報を送受することができる技術に関するものである。
【０００２】
【従来の技術】
パチンコ店においては、各パチンコ台にて遊技をしている客にパチンコ台の情報端末によりテレビ放送、遊技情報、パチンコ店からのメッセージ等の各種の情報を提供することが行われている。パチンコ店の客はこれらの情報を受けつつ、専らパチンコ機等の遊技台を使用しているのみであった。
【０００３】
【発明が解決しようとする課題】
しかしながら、情報化が進んだ現代においては、パチンコ店にて単にパチンコ機等の遊戯台を使用した遊技をするのみでは不十分であり、プレーヤー（遊技者）同士がメッセージの送受信をすることができる何らかの情報システムをパチンコ店に設置することが望まれていた。
従って、本願発明の目的は上述の問題点を解決し、パチンコ店において客即ちプレーヤー同士の遊技中のコミュニケーションを可能にする情報提供システムを提供することである。
【０００４】
【課題を解決するための手段】
上記課題を解決するため、本願の第１の発明の構成は、遊技台に付設された情報端末と、所定個所に設けられた情報キオスク端末と、会員番号が記憶された会員ＩＤカードとを用いてメッセージの送受信を行う情報提供システムである。
各情報端末及び情報キオスク端末はネットワークに接続されており、情報キオスク端末から、会員ＩＤカードに記憶された会員番号で特定される遊技者宛にメッセージが入力されると、前記会員番号と一致する会員番号が記憶された会員ＩＤカードが挿入されている情報端末に前記メッセージを送信可能である、情報提供システムである。
【０００５】
上記第１の発明の構成により、遊技台にて遊技中の特定プレーヤー（遊技台の情報端末に会員ＩＤカードを挿入すること等により特定される）に情報キオスク端末を利用してメッセージ送信をすることができる。
【０００６】
更に、第２の発明の構成は、請求項１に記載の情報提供システムであって、情報キオスク端末から、会員ＩＤカードに記憶された会員番号で特定される遊技者宛にメッセージが入力された後、前記会員番号と一致する会員番号が記憶された会員ＩＤカードが挿入されている情報端末は、メッセージがあるという告知またはメッセージの表示をすることが可能である、情報提供システムである。
【０００７】
上記第２の発明の構成により、情報キオスク端末から特定プレーヤー（遊技台の情報端末に会員ＩＤカードを挿入すること等により特定される）にメッセージ送信しているので、該特定プレーヤーが情報端末付き遊技台にて遊技を開始したときに該情報端末にメッセージありの告知又はメッセージの表示をすることができる。
【０００８】
更に、第３の発明の構成は、請求項１または２に記載の情報提供システムであって、
情報キオスク端末から入力されて情報端末に表示されるメッセージは、当該メッセージが入力された時刻とともに表示される、情報提供システムである。
【０００９】
更に、第４の発明の構成は、請求項１〜３のいずれかに記載の情報提供システムであって、情報キオスク端末から、会員ＩＤカードに記憶された会員番号で特定される遊技者宛にメッセージが入力された後、当該情報キオスク端末に前記会員番号と一致する会員番号が記憶された会員ＩＤカードが挿入されると、前記入力されたメッセージを表示することが可能である、情報提供システムである。
【００１０】
【発明の実施の形態】
次に、図面を使用して本願発明の実施の形態を説明する。図1は本願発明の実施の形態を示している。なお、図１は（ａ）及び（ｂ）からなる。（ａ）は実施の形態に関わる情報提供システムのネットワークを示し、（ｂ）は該実施の形態の情報提供システムに使用する会員カード内に記憶された情報内容を示している。
【００１１】
図１において、各遊技台（例えばパチンコ機、スロットルマシン等）１台毎に付設された情報端末１１ａ，１１ｂ〜１１ｎ（遊技台と一体のもの及び遊技台と別体のものの両方を含む。）は集線装置（ＨＵＢ）１５に接続され、各遊技台に付設された情報端末１２ａ、１２ｂ〜１２ｎは集線装置（ＨＵＢ）１６に接続され、各遊技台に付設された情報端末１３ａ，１３ｂ〜１３ｎは集線装置（ＨＵＢ）１７に接続されている。なお、情報端末１１ａ〜１３ｎは会員ＩＤカード（会員カード）２９の記憶内容を読み取るカードリーダーを備えている。
各ＨＵＢ１５〜１７はスイッチ付き集線装置（ＳＷＨＵＢ）１８に接続されている。各情報端末１１ａ〜１３ｎ及び後述する情報キオスク端末１９は、ＳＷＨＵＢ１８のスイッチを切り替えてネットワークの接続を変えることができる。
【００１２】
会員データベース２４は会員サーバ２１に接続され、会員サーバ２１、情報サーバ２２、通信サーバ２３及び情報キオスク端末１９がＳＷＨＵＢ１８に接続されている。情報キオスク端末１９は、その形状が例えばスタンド型であり、パチンコ店の休憩室等に設置されている。また、情報キオスク端末１９及び情報端末１１ａ〜１３ｎは送信するメッセージの公開又は非公開を選択することができる。
モデム２５が通信サーバ２３に接続されている。更に、モデム２５は公衆回線２６によりモデム２７に接続されている。センターサーバ２８がモデム２７に接続されている。
【００１３】
図１（ｂ）に示すように、会員ＩＤカード２９は、パチンコ店経営企業としての「企業番号」、パチンコ店の「店番号」及びプレーヤーの「会員番号」を記憶している。また、会員ＩＤカード２９は、ＩＣカードタイプ又は磁気カードタイプ等のカードの種類情報及びデジタル信号のチェックサム（パリティチェック機能）を記憶している。
会員ＩＤカード２９の内容を読み取るカードリーダ―は、各遊技台の情報端末１１ａ〜１３ｎ及び情報キオスク端末１９に設けられている。該カードリーダーが会員ＩＤカード２９に記憶されたプレーヤーの会員番号（又は会員を特定する暗証番号）を読み取ったときに、各遊技台の情報端末１１ａ〜１３ｎ及び情報キオスク端末１９は動作可能になる。
【００１４】
図２は、情報キオスク端末１９の液晶タッチパネル３０を示している。液晶タッチパネル３０において、「伝言板」３１、「日付」３５、「公開伝言」３６及び「伝言内容」３７の各表示が設けられている。また、「伝言を読む」キー３２、「伝言を書く」キー３３、「日付設定」キー３４、「解説１」キー３８ａ，「解説２」キー３８ｂ及び「メインメニューへ」キー３９の各タッチスイッチが設けられている。
【００１５】
「日付設定」キー３４の三角印３４ａをタッチすると、「日付」３５の表示が変わる。「解説１」キー３８ａ及び「解説２」キー３８ｂをタッチすると、動作説明が液晶タッチパネル３０に表示される。
「伝言を書く」キー３３をタッチすると、図３に示すキーボード４０が表示され、「伝言を読む」キー３２をタッチすると、伝言内容３７が表示される。
「メインメニューへ」キー３９をタッチすると、メインメニューが液晶タッチパネル３０にメインメニューが表示される。なお、このメインメニュー上にて伝言板を選択すると、図２の液晶タッチパネル３０が表示される。
【００１６】
図３は、伝言板３１の表示に、キーボード４０が重ねて表示された状態を示している。キーボード４０には、入力キー４１、入力確定キー４３、ＢＳキー４４、消去キー４５、入力モードキー４６、カーソル移動キー４７ａ、４７ｂ及び「もどる」キー４８が設けられ、更に、入力内容表示欄４２が設けられている。なお、カーソル４２ａが入力内容表示欄４２に設けられている。
【００１７】
図４は、「解説１」キー３８ａをタッチしたときに現れる解説が図２の画面に重ねて現れる状態を示している。該解説は、「公開伝言」についての解説５０である。解説５０中に示されている解除キー５１にタッチすると、該解説５０は消えて、図２に示す画面となる。
【００１８】
図５及び図６は各遊技台の情報端末１１ａ〜１３ｎに現われる液晶タッチ画面を示している。なお、図５は（ａ）及び（ｂ）からなり、図５（ａ）は情報メニュー６１のタイトルのもとに、台（遊技台）データキー６２、耳より情報キー６３、「伝言を見る」キー６４、「おすすめ台」キー６５及び「ポイント情報」キー６６を表示している。
台データキー６２にタッチすると、遊技台の出玉情報が液晶タッチ画面６０に表示され、耳より情報キー６３にタッチすると、各種の耳より情報が液晶タッチ画面６０に表示される。また、「おすすめ台」キー６５にタッチすると、パチンコ店がおすすめの遊技台が液晶タッチ画面６０に表示され、「ポイント情報」キー６６にタッチすると、景品等のポイント（点数）情報が液晶タッチ画面６０に表示される。
【００１９】
次に、「伝言を見る」キー６４にタッチすると、図５（ａ）に示す画面、図６（ａ）に示す画面又は図６（ｂ）に示す画面が液晶タッチ画面６０に表示される。
図５（ｂ）は、伝言がない場合の画面７０を示している。「伝言」７１及び「伝言はありません」の表示７２及び確認キー７３が設けられている。確認キー７３にタッチすると画面７０が消えて、図５（ａ）に示す画面が現れる。
【００２０】
図６（ａ）は、伝言画面８０を示している。伝言画面８０において、伝言８１、時刻８２、ページ８３及び伝言内容８４の各欄が設けられ、更に、確認キー８５及び次キー８６が設けられている。
確認キー８５にタッチすると、伝言画面８０が消えて、図５（ａ）に示す画面が現れる。また、次キー８６にタッチすると、伝言画面８０が消えて、図６（ｂ）に示す画面が現れる。
【００２１】
図６（ｂ）は、伝言画面９０を示している。伝言画面９０において、伝言９１、時刻９２、ページ９３及び伝言内容９４の各欄が設けられ、更に、確認キー９５及び前キー９６が設けられている。
確認キー９５にタッチすると、伝言画面９０が消えて、図５（ａ）に示す画面が現れる。また、前キー９６にタッチすると、伝言画面９０が消えて、図６（ａ）に示す画面が現れる。
【００２２】
以上の構成により、プレーヤーが遊技台の情報端末１１ａ〜１３ｎを使用することにより、会員ＩＤカード２９を他の遊技台の情報端末１１ａ〜１３ｎに挿入すること等により特定される特定の他のプレーヤーとメッセージの送受信をすることができる。
更に、遊技台にて遊技中の特定プレーヤー（遊技台の情報端末１１ａ〜１３ｎに会員ＩＤカード２９を挿入すること等により特定される）に情報キオスク端末１９を利用してメッセージ送信をすることができる。
更に、情報キオスク端末１９から、情報端末付き遊技台にて遊技中の不特定の複数のプレーヤーに該情報端末１１ａ〜１３ｎを介してメッセージ送信をすることができる。
【００２３】
更に、情報キオスク端末１９から特定プレーヤー（遊技台の情報端末１１ａ〜１３ｎに会員ＩＤカード２９を挿入すること等により特定される）にメッセージ送信しているので、該特定プレーヤーが情報端末付き遊技台にて遊技を開始したとき（会員ＩＤカード２９をカードリーダーに挿入して会員を特定することで）に該情報端末１１ａ〜１３ｎにメッセージありの告知又はメッセージの表示をすることができる。
更に、送信者が、情報キオスク端末１９の操作により、不特定の複数のプレーヤーに送信するメッセージの公開又は非公開を選択できるので、公開してもよいメッセージと非公開にしなければならないメッセージとの両方を送信することができる。
【００２４】
更に、特定プレーヤーを会員ＩＤの代わりにメッセージ送信者と該特定プレーヤー間で決めた共通キーワードにより管理すると、該キーワードを使用することにより、前記特定プレーヤーの会員ＩＤカード２９を使用しなくてもよい。
更に、特定プレーヤーを会員ＩＤの代わりに入会登録時に登録した番号又はキーワードにより管理すると、該特定プレーヤーの会員ＩＤカード２９を使用しなくても、入会登録時に登録した番号又はキーワードにより該特定プレーヤーを特定することができる。
更に、センターサーバ２８を経由して異なる店舗間を連結することができるので、異なる店舗間における上記情報提供（メッセージの送受信を含む）をすることができる。
【００２５】
【発明の効果】
以上に説明した情報提供システムにより、パチンコ店向けの集客ツールとして、プレーヤーは各自に会員ＩＤカード（会員カード）を持ってプレーすることを前提とした遊技システムで、遊技台毎に設置される情報端末の付加価値機能としてプレーヤー同士がコミュニケーション（簡易電子メール）を送受信することができる。
このため、パチンコ店に来店した場合に、容易に連絡がとれる仕組みを提供することができる。更に、パチンコプレー中に、出玉の勝ち負けの楽しみ以外の楽しみ方を提供することができる。更に、常連客やパチンコ仲間により、プレーヤー同士の情報交換が可能となる。
【００２６】
更に、第１の発明により、遊技台にて遊技中の特定プレーヤー（遊技台の情報端末に会員ＩＤカードを挿入すること等により特定される）に、遊技中でないプレーヤーが情報キオスク端末を利用してメッセージ送信をすることができる。
【００２７】
更に、遊技中でないプレーヤーが、情報キオスク端末から、情報端末付き遊技台にて遊技中の不特定の複数のプレーヤーに該情報端末を介してメッセージ送信をすることができる。
【００２８】
更に、第２の発明により、情報キオスク端末から特定プレーヤー（遊技台の情報端末に会員ＩＤカードを挿入すること等により特定される）にメッセージ送信しているので、該特定プレーヤーが情報端末付き遊技台にて遊技を開始したとき（会員ＩＤカードをカードリーダーに挿入して会員を特定することで）に該情報端末にメッセージありの告知又はメッセージの表示をすることができる。このため、該特定プレーヤーが遊技中でない時でも該特定プレーヤーにメッセージを送信することができる。
【００２９】
更に、不特定の複数のプレーヤーに送信するメッセージの公開又は非公開を送信者が選択できるので、公開してもよいメッセージと非公開にしなければならないメッセージとの両方を送信することができる。
【００３０】
更に、特定プレーヤーを会員ＩＤの代わりにメッセージ送信者と該特定プレーヤー間で決めた共通キーワードにより管理するので、該キーワードを使用することにより、前記特定プレーヤーの会員ＩＤカードを使用しなくてもよい。このため、プレーヤーが会員ＩＤを常時携帯しなくてもよくなる。
【００３１】
更に、特定プレーヤーを会員ＩＤの代わりに入会登録時に登録した番号又はキーワードにより管理するので、該特定プレーヤーの会員ＩＤカードを使用しなくても、入会登録時に登録した番号又はキーワードにより該特定プレーヤーを特定することができる。このため、プレーヤーが会員ＩＤカードを常時携帯しなくてもよくなる。
【００３２】
更に、センターサーバを経由して異なる店舗間を連結することができるので、異なる店舗間における上記第１〜第７の発明の情報提供をすることができる。このため、情報提供システムの適用範囲を広くすることができる。
【図面の簡単な説明】
【図１】
本願発明の実施の形態の説明図である。
【図２】
前記実施の形態における情報キオスクが表示する伝言板の説明図である。
【図３】
前記図２に記載された伝言板におけるキーボードの説明図である。
【図４】
前記図２に記載された伝言板における解説の説明図である。
【図５】
前記実施の形態における各遊技台の情報端末が表示する情報の説明である。
【図６】
前記実施の形態における各遊技台の情報端末が示す他の情報の説明である。
【符号の説明】
１１ａ，１１ｂ、１１ｎ  各台情報端末
１２ａ，１２ｂ、１２ｎ  各台情報端末
１３ａ，１３ｂ、１３ｎ  各台情報端末
１９  情報キオスク端末
２８  センターサーバー
２９  会員ＩＤカード